(57)【要約】【課題】タッチパネルの操作時やその他の場面においても幅広く誤動作を防ぐことが可能なタッチパネル型表示装置を提供する。【解決手段】タッチパネル型表示装置は、表示装置及びタッチパネルを有する。表示装置は、ユーザの指定に基づいてタッチパネルの設定範囲を決定し、決定した設定範囲を有効状態または無効状態に切り替える。設定範囲の指定は、予め定められた項目より指定するか、任意に指定するか、をユーザが選択することができる。これにより、ユーザは、タッチパネルを無効化する範囲を詳細に指定することができ、ユーザが意図した範囲でタッチパネルを無効化することが可能となる。【選択図】図２
2009080683.tif 000002
【特許請求の範囲】
【請求項１】
情報を表示する表示装置と、
前記表示装置に設けられたタッチパネルと、
ユーザの指定に基づいて、前記タッチパネルの有効または無効の設定範囲を決定する範囲決定手段と、
前記範囲決定手段により決定した前記設定範囲を有効状態または無効状態に切り替える切替手段と、を備え、
前記範囲決定手段は、予め定められた項目よりユーザに指定させる方法と、前記設定範囲を任意にユーザに指定させる方法と、を有することを特徴とするタッチパネル型表示装置。
【請求項２】
ユーザの指定に基づいて、前記タッチパネルの無効時間を決定する時間決定手段を備え、
前記切替手段は、前記時間決定手段により決定された前記無効時間に従ってタッチパネルの有効状態と無効状態とを切り替え、
前記時間決定手段は、定められた項目よりユーザに指定させる方法と、ユーザにより無効時間を任意に選択させる方法と、を有することを特徴とする請求項１に記載のタッチパネル型表示装置。
【請求項３】
ユーザの指定に基づいて、無効状態に設定された設定範囲の表示態様を決定する表示決定手段を備え、
前記切替手段は、前記無効状態の設定された設定範囲の表示態様を、前記表示決定手段により指定された表示態様に切り替えることを特徴とする請求項１または２に記載のタッチパネル型表示装置。
【請求項４】
前記タッチパネルの有効状態または無効状態を表示する状態表示手段を備え、
前記状態表示手段は、前記表示装置の画面上のアイコンまたは前記表示装置の枠に配置されたランプにより有効状態又は無効状態を表示することを特徴とする請求項１乃至３のいずれか一項に記載のタッチパネル型表示装置。
【請求項５】
ユーザによるタッチパネルの有効状態または無効状態の切り替え指示を受け付ける切替受付手段を備え、
前記切替手段は、前記切替受付手段がユーザからの指示を受け付けた場合に、切り替えを実行することを特徴とする請求項１乃至４のいずれか一項に記載のタッチパネル型表示装置。
【請求項６】
表示装置及びタッチパネルを備え、前記タッチパネルに対する設定を処理するタッチパネル型表示装置の制御方法であって、
ユーザの指定に基づいて、前記タッチパネルの有効または無効の設定範囲を決定する範囲決定工程と、
前記範囲決定工程により決定した前記設定範囲を有効状態または無効状態に切り替える切替工程と、を備え、
前記範囲決定工程は、予め定められた項目よりユーザに指定させる方法と、前記設定範囲を任意にユーザに指定させる方法と、を有することを特徴とするタッチパネル型表示装置の制御方法。
【請求項７】
コンピュータを備える装置によって実行されるタッチパネル設定処理プログラムであって、
ユーザの指定に基づいて、前記タッチパネルの有効または無効の設定範囲を決定する範囲決定手段と、
前記範囲決定手段により決定した前記設定範囲を有効状態または無効状態に切り替える切替手段、として前記コンピュータを機能させ、
前記範囲決定手段は、予め定められた項目よりユーザに指定させる方法と、前記設定範囲を任意にユーザに指定させる方法と、を有することを特徴とするタッチパネル設定処理プログラム。
【請求項８】
請求項７に記載のタッチパネル設定処理プログラムを記憶したことを特徴とする記憶媒体。
【発明の詳細な説明】
【技術分野】
【０００１】
本発明は、タッチパネルを用いた表示装置の表示制御に関する。
【背景技術】
【０００２】
近年のナビゲーション装置や携帯情報端末に付属する表示装置は、タッチパネルが設けられたものが既知であり、さらに誤動作等を防止するため、タッチパネルを一時的に無効化する機能を備えた装置も発案されている。例えば、特許文献１及び特許文献２には、タッチパネルを掃除する際に、誤動作を防止するため、タッチパネルを一時無効にする技術が記載されている。
【０００３】
【特許文献１】特開２００４−３５５０７８号公報
【特許文献２】特開２０００−１９４５０４号公報
【発明の開示】
【発明が解決しようとする課題】
【０００４】
しかしながら、特許文献１または特許文献２に記載の技術では、タッチパネルの掃除時における誤動作の防止を目的とするため、タッチパネルの無効化が全範囲のみに限られている。一方、タッチパネルの誤動作は、タッチパネルの掃除時に限らず操作時においても発生する。この場合、タッチパネルの全範囲を無効化すると、無効の間、ユーザは操作の続行が不可能になってしまう。
【０００５】
本発明が解決しようとする課題としては、上記のものが一例として挙げられる。本発明は、タッチパネル型表示装置において、タッチパネルの操作時やその他の場面においても幅広く誤動作を防ぐことを目的とする。
【課題を解決するための手段】
【０００６】
請求項１に記載の発明は、タッチパネル型表示装置は、情報を表示する表示装置と、前記表示装置に設けられたタッチパネルと、ユーザの指定に基づいて、前記タッチパネルの有効または無効の設定範囲を決定する範囲決定手段と、前記範囲決定手段により決定した前記設定範囲を有効状態または無効状態に切り替える切替手段と、を備え、前記範囲決定手段は、予め定められた項目よりユーザに指定させる方法と、前記設定範囲を任意にユーザに指定させる方法と、を有することを特徴とする。
【０００７】
請求項６に記載の発明は、表示装置及びタッチパネルを備え、前記タッチパネルに対する設定を処理するタッチパネル型表示装置の制御方法であって、ユーザの指定に基づいて、前記タッチパネルの有効または無効の設定範囲を決定する範囲決定工程と、前記範囲決定工程により決定した前記設定範囲を有効状態または無効状態に切り替える切替工程と、を備え、前記範囲決定工程は、予め定められた項目よりユーザに指定させる方法と、前記設定範囲を任意にユーザに指定させる方法と、を有することを特徴とする。
【０００８】
請求項７に記載の発明は、コンピュータを備える装置によって実行されるタッチパネル設定処理プログラムは、ユーザの指定に基づいて、前記タッチパネルの有効または無効の設定範囲を決定する範囲決定手段と、前記範囲決定手段により決定した前記設定範囲を有効状態または無効状態に切り替える切替手段、として前記コンピュータを機能させ、前記範囲決定手段は、予め定められた項目よりユーザに指定させる方法と、前記設定範囲を任意にユーザに指定させる方法と、を有することを特徴とする。
【発明を実施するための最良の形態】
【０００９】
本発明の１つの観点では、タッチパネル型表示装置は、情報を表示する表示装置と、前記表示装置に設けられたタッチパネルと、ユーザの指定に基づいて、前記タッチパネルの有効または無効の設定範囲を決定する範囲決定手段と、前記範囲決定手段により決定した前記設定範囲を有効状態または無効状態に切り替える切替手段と、を備え、前記範囲決定手段は、予め定められた項目よりユーザに指定させる方法と、前記設定範囲を任意にユーザに指定させる方法と、を有する。
【００１０】
上記のタッチパネル型表示装置は、表示装置及びタッチパネルを有する。そして、範囲決定手段が、ユーザの指定に基づいて前記タッチパネルの有効または無効の設定範囲を決定し、切替手段が、前記範囲決定手段により決定した前記設定範囲を有効状態または無効状態に切り替える。上記範囲決定手段は、予め定められた項目より指定するか、前記設定範囲を任意に指定するか、をユーザに選択させる。これにより、ユーザは、タッチパネルの無効の範囲を詳細に指定することができ、ユーザが意図した範囲でタッチパネルの無効化が可能となり、ユーザの意図しない操作による装置の誤動作を防止することができる。
【００１１】
上記のタッチパネル型表示装置の一態様では、ユーザの指定に基づいて、前記タッチパネルの無効時間を決定する時間決定手段を備え、前記切替手段は、前記時間決定手段により決定された前記無効時間に従ってタッチパネルの有効状態と無効状態とを切り替え、前記時間決定手段は、定められた項目よりユーザに指定させる方法と、ユーザにより無効時間を任意に選択させる方法と、を有する。この態様では、範囲決定手段により決定した無効または有効の範囲について、その継続時間を指定することができる。つまり、タイマー設定をすることができる。これにより、より詳細にユーザの意図したタッチパネルの無効化及び有効化の設定を行うことができる。
【００１２】
上記のタッチパネル型表示装置の他の一態様では、ユーザの指定に基づいて、無効状態に設定された設定範囲の表示態様を決定する表示決定手段を備え、前記切替手段は、前記無効状態の設定された設定範囲の表示態様を、前記表示決定手段により指定された表示態様に切り替える。これにより、タッチパネルを無効にする範囲の画像表示をユーザの意思で指定することができる。
【００１３】
上記のタッチパネル型表示装置の他の一態様では、前記タッチパネルの有効状態または無効状態を表示する状態表示手段を備え、前記状態表示手段は、前記表示装置の画面上のアイコンまたは前記表示装置の枠に配置されたランプにより有効状態または無効状態を表示する。この態様では、タッチパネルの有効状態または無効状態を、画面上のアイコンまたは表示装置の枠上に配置されたランプによってユーザに知らせる。これにより、ユーザは、現在のタッチパネルの状態を、操作をすることなく常時確認することができる。
【００１４】
上記のタッチパネル型表示装置の他の一態様では、ユーザによるタッチパネルの有効状態または無効状態の切り替え指示を受け付ける切替受付手段を備え、前記切替手段は、前記切替受付手段がユーザからの指示を受け付けた場合に、切り替えを実行する。これにより、タッチパネルの設定の操作中に、タッチパネルの設定の変更が実行されるのを防ぐことができる。
【００１５】
本発明の他の観点では、表示装置及びタッチパネルを備え、前記タッチパネルに対する設定を処理するタッチパネル型表示装置の制御方法であって、ユーザの指定に基づいて、前記タッチパネルの有効または無効の設定範囲を決定する範囲決定工程と、前記範囲決定工程により決定した前記設定範囲を有効状態または無効状態に切り替える切替工程と、を備え、前記範囲決定工程は、予め定められた項目よりユーザに指定させる方法と、前記設定範囲を任意にユーザに指定させる方法と、を有する。
【００１６】
この方法によっても、ユーザは、タッチパネルの無効の範囲を詳細に指定することができ、ユーザが意図した範囲でタッチパネルの無効化が可能となり、ユーザの誤動作を防止することができる。
【００１７】
本発明の更に別の観点では、コンピュータを備える装置によって実行されるタッチパネル設定処理プログラムであって、ユーザの指定に基づいて、前記タッチパネルの有効または無効の設定範囲を決定する範囲決定手段と、前記範囲決定手段により決定した前記設定範囲を有効状態または無効状態に切り替える切替手段、として前記コンピュータを機能させ、前記範囲決定手段は、予め定められた項目よりユーザに指定させる方法と、前記設定範囲を任意にユーザに指定させる方法と、を有する。
【００１８】
このプログラムを、各種装置上で実行することにより、本発明のタッチパネル型表示装置を実現することができる。なお、このタッチパネル設定処理プログラムは、記録媒体に記録した状態で好適に取り扱うことができる。
【実施例】
【００１９】
以下、図面を参照して本発明の好適な実施例について説明する。なお、以下の説明は、本発明に係るタッチパネル型表示装置を車両用のナビゲーション装置に適用した例を示す。なお、本発明が適用可能なタッチパネル型表示装置はナビゲーション装置に限定されず、ＰＤＡ（Personal Digital Assistant）、自動券売機等であってもよい。
【００２０】
［ナビゲーション装置］
図１に、ナビゲーション装置１の構成を示す。図１に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０及び入力装置６０を備える。
【００２１】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００２２】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００２３】
システムコントローラ２０は、インタフェース２１、ＣＰＵ（Central Processing Unit）２２、ＲＯＭ（Read Only Memory）２３及びＲＡＭ（Random Access Memory）２４を含んでおり、ナビゲーション装置１全体の制御を行う。
【００２４】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００２５】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００２６】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。データ記憶ユニット３６は、例えば、ＨＤＤなどにより構成され、地図データなどのナビゲーション処理に用いられる各種データを記憶するユニットである。通信装置３８は、例えば、ＦＭチューナやビーコンレシーバ、携帯電話や専用の通信カードなどにより構成され、ＶＩＣＳ（Vehicle Information Communication System）センタなどから配信される情報（以下、「ＶＩＣＳ情報」と呼ぶ。）を電波３９より取得する。そしてインタフェース３７は、通信装置３８のインタフェース動作を行い、ＶＩＣＳ情報をシステムコントローラ２０等に入力する。
【００２７】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Video RAM ）等のメモリからなり即時表示可能な画像情報を一時的に記憶するバッファメモリ４２と、グラフィックコントローラ４１から出力される画像データに基づいて、液晶、ＣＲＴ（Cathode Ray Tube）等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。
【００２８】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ（Digital to Analog）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００２９】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、本実施形態では、ディスプレイ４４がタッチパネル方式であるため、ディスプレイ４４の表示画面上に設けられたタッチパネルも入力装置６０として機能する。
【００３０】
なお、図１におけるＣＰＵ２２などは、本発明におけるタッチパネル型表示装置に相当する。具体的には、範囲決定手段、切替手段、時間決定手段、表示決定手段、状態表示手段、及び切替受付手段に相当する。
【００３１】
［タッチパネル設定方法］
次に、本実施例に係るタッチパネル設定方法について、図２乃至図６に示す表示画像例を用いて説明する。なお、表示画像は、図１のディスプレイ４４に表示されたものである。
【００３２】
図２は、タッチパネルの設定を変更するための初期画面（以後、「タッチパネル設定用画面」と呼ぶ。）の一例を示す。図２に示すように、表示画像８０には、複数のアイコン１０１乃至１０５及びボタン１０６、１０７が表示されている。アイコン１０１は、表示画像８０のタイトルを表すアイコンである。アイコン１０２は、タッチパネルの状態、即ち有効状態か又は無効状態かを示すとともに、タッチパネルの有効または無効を設定できる画面（以後、「状態変更画面」と呼ぶ。）へ遷移するためのアイコンである。したがって、アイコン１０２をユーザがタッチパネルを介して選択することで、後述する状態変更画面に遷移する。
【００３３】
アイコン１０３は、タッチパネルの有効範囲または無効範囲をユーザが指定できる設定画面（以後、「範囲指定画面」と呼ぶ。）へ遷移するためのアイコンである。したがって、ユーザが当該アイコンをタッチパネルを介して選択することで、後述する範囲指定画面に遷移する。
【００３４】
アイコン１０４は、タッチパネルの有効状態または無効状態を維持する時間をユーザが指定できる設定画面（以後、「タイマー設定画面」と呼ぶ。）へ遷移するためのアイコンである。したがって、ユーザが当該アイコンをタッチパネルを介して選択することで、後述するタイマー設定画面に遷移する。
【００３５】
アイコン１０５は、タッチパネルの状態表示をユーザが指定できる設定画面（以後、「表示設定画面」と呼ぶ。）へ遷移するためのアイコンである。したがって、ユーザが当該アイコンをタッチパネルを介して選択することで、後述する表示設定画面に遷移する。
【００３６】
ボタン１０６は、ユーザが各設定画面より指定した設定内容にタッチパネルの設定を変更するためのボタン（以後、「セットボタン」と呼ぶ。）である。即ち、ユーザが状態変更画面、範囲指定画面、タイマー設定画面、または表示設定画面の各設定画面で設定した内容は、セットボタンを押下することにより初めて有効になる。これにより、ユーザがタッチパネルの設定変更をする操作の途中において、ユーザが意図しないタッチパネルの有効化、無効化を防ぐことができる。ボタン１０７は、全てのタッチパネル設定を初期化するためのボタン（以後、「クリアボタン」と呼ぶ。）である。ユーザがクリアボタンを押下することにより、例えば、タッチパネルが全て有効状態となる。なお、セットボタン及びクリアボタンは、タッチパネル設定用画面にあるとは限らず、例えば図６に示すナビゲーション装置の枠７０上のボタン７１に対応させてもよく、または状態変更画面等の各設定画面に表示させてもよい。
【００３７】
図３（ａ）は、状態変更画面の一例を示す。図３（ａ）に示すように、表示画像８１によって、タッチパネルの状態を有効化状態または無効化状態にすることをユーザが指定することができる。表示画像８１には、複数のアイコン１１０乃至１１２が表示されている。アイコン１１０は、表示画像８１のタイトルを表すアイコンである。アイコン１１１は、タッチパネルの有効化を指定するためのアイコンである。また、アイコン１１２は、タッチパネルの無効化を指定するためのアイコンである。アイコン１１１またはアイコン１１２をユーザが選択し、上述したセットボタンをユーザがタッチパネルを介して押下することにより、タッチパネルの状態が有効状態または無効状態に遷移する。
【００３８】
図３（ｂ）は、範囲指定画面の一例を示す。図３（ｂ）に示すように、表示画像８２によって、複数のアイコン１２１乃至１２５が表す項目から、タッチパネルの有効にする範囲または無効にする範囲を指定することができる。有効にする範囲または無効にする範囲のどちらを指定するかは、例えば図３（ａ）の状態変更画面にて指定した状態に依存させることができる。即ち、状態変更画面において有効を指定した場合には、図３（ｂ）では有効にする範囲を指定することになり、状態変更画面において無効を指定した場合には、図３（ｂ）では無効にする範囲を指定することになる。なお、１画面で全てのアイコンを表示できない場合は、バー１２６及びボタン１２７を用いて表示画像の遷移が可能である。
【００３９】
アイコン１２０は、表示画像８２のタイトルを示すアイコンである。アイコン１２１をユーザが押下することにより、タッチパネル全体の有効化または無効化が指定される。アイコン１２２をユーザが押下することにより、タッチパネルのうち地図のみの有効化または無効化が指定される。アイコン１２３をユーザが押下することにより、タッチパネルのうちボタン部分のみの有効化または無効化が指定される。アイコン１２４をユーザが押下することにより、タッチパネルのうちＮａｖｉ画面のみの有効化または無効化が指定される。なお、Ｎａｖｉ画面のみとは、例えば地図等を表示するナビゲーション画面とＴＶ（TeleVision）画面の２画面表示に設定している場合におけるナビゲーション画面部分を示す。
【００４０】
アイコン１２５は、ユーザが有効範囲または無効範囲を任意に指定するためのアイコンである。アイコン１２５をユーザが押下することにより、表示画面は、ユーザが範囲を指定するための画面（以後、「ユーザ範囲指定画面」と呼ぶ。）へ遷移する。
【００４１】
ユーザ範囲指定画面は、例えば、図４（ａ）のナビゲーション装置の表示画面に示すように、ユーザにタッチパネルを無効にする矩形の範囲を指定させるためのポイントの指定を促すアイコン１３０を表示する。そして、図４（ｂ）のナビゲーション装置の表示画面に示すように、ユーザが指定した２つポイント１４１ａ、１４１ｂから範囲１４２を表示し、確認の文章を表示するアイコン１４０及び決定ボタン並びにキャンセルボタンを示すアイコン１４３を表示する。なお、上記の無効範囲の指定方法は一例であり、他の方法でユーザに無効範囲を指定させてもよい。
【００４２】
図５（ａ）は、タイマー設定画面の一例を示す。図５（ａ）に示すように、表示画像５５によって、複数のアイコン１５１乃至１５５が表す項目から、タッチパネルの有効状態または無効状態の継続時間を指定することができる。有効化の範囲または無効化の範囲のどちらを指定するかは、例えば状態変更画面にて指定した状態に依存させることができる。即ち、状態変更画面において有効を指定した場合には、図５（ａ）では有効である時間を指定し、状態変更画面において無効を指定した場合には、図５（ａ）では無効である時間を指定することが一例として考えられる。
【００４３】
アイコン１５０は、表示画像５５のタイトルを示すアイコンである。アイコン１５１乃至１５３は、予めナビゲーション装置が用意した時間を表示している。アイコン１５４は、ユーザが任意に時間を定めたい場合に指定するアイコンであり、アイコン１５４を押下することによって、例えばタッチパネルにより数字を入力することができる画面に遷移し、ユーザによる任意の時間指定が可能となる。アイコン１５５は、タイマーを用いない場合に指定するアイコンであり、有効状態または無効状態を時間で区切ることなく継続させる。即ち、再び設定変更を行わない限り、有効状態または無効状態が維持される。
【００４４】
図５（ｂ）は、表示設定画面の一例を示す。図５（ｂ）に示すように、表示画像５６によって、複数のアイコン１６１乃至１６４が表す項目について、タッチパネルの表示に関する設定を行うことができる。
【００４５】
アイコン１６１及びアイコン１６４は、後述する状態アイコン及び状態ランプのＯＮまたはＯＦＦの状態を表示する。そして、アイコン１６１及びアイコン１６４をユーザが押下することにより、上記状態を切り替えることができる。なお、アイコン１６１及びアイコン１６４をユーザが押下することにより、上記状態を変更する画面へ遷移し、ユーザにＯＮまたはＯＦＦの状態を指定させてもよい。ここで、状態アイコンとは、例えば図６に示すナビゲーション装置の表示画面中に表示されるアイコン１７０である。よって、状態アイコンがＯＮの設定の場合、アイコン１７０によって常にタッチパネルの状態を表示し、状態アイコンがＯＦＦの設定の場合は、アイコン１７０は表示されない。また、状態ランプとは、例えば図６に示すナビゲーション装置のフレーム７０上に配置されるランプ１７１である。よって、状態ランプがＯＮの設定の場合、タッチパネルが有効状態であればランブ１７１が点灯し、タッチパネルが無効状態であればランプ１７１が消灯する、などの形態が使用形態の一例として考えられる。なお、図６の状態アイコンの配置等は一例であり、ナビゲーション装置の画面デザインにより、配置や形状を変えてもよい。また、状態ランプの配置や個数、大きさ等は一例であり、ナビゲーション装置の設計またはデザインにより、配置等を変えてもよい。
【００４６】
図５（ｂ）に示すアイコン１６２及びアイコン１６３は、タッチパネルの無効範囲における背景色をユーザが指定するためのアイコンである。アイコン１６２は、背景色の設定のＯＮまたはＯＦＦの状態を表示する。そして、ユーザがアイコン１６２を押下することにより上記状態を変更することができる。なお、ユーザがアイコン１６２を押下することにより、上記状態を変更する画面へ遷移し、ユーザにＯＮまたはＯＦＦの状態を指定させてもよい。アイコン１６３は、背景色の設定がＯＮである場合に、上記背景色をユーザが指定する画面に遷移するためのアイコンである。上記背景色として、例えば、黒、白等の基本色の他、ナビゲーション装置が図１のデータ記憶ユニット３６等に保持している保存画像等が挙げられる。
【００４７】
次に、図７に示すフローチャートを用いてタッチパネルの設定処理の手順について説明する。ステップＳ１０１乃至Ｓ１０５は、ユーザの操作の手順を示し、ステップＳ２０１乃至Ｓ２０６は、ナビゲーション装置１の表示画面の流れを示す。なお、ステップＳ２０１乃至Ｓ２０６のフローチャートに示した処理を実現するところのプログラムは、ＲＡＭ２４に記憶され、ＣＰＵ２２によって実行されるものである。
【００４８】
まず、ナビゲーション装置１は、ナビゲーション画面等の通常画面を表示する（ステップＳ２０１）。次に、ユーザは、タッチパネルの設定を行うため、タッチパネルの設定を開始するためのボタン（以後、「タッチパネル設定ボタン」と呼ぶ。）を押下する（ステップＳ１０１）。なお、上記タッチパネル設定ボタンは、例えば、ナビゲーション装置１の各種設定を行うメニュー画面に表示してもよく、またはナビゲーション装置１のフレーム上に専用ボタンを設けてもよい。
【００４９】
ユーザがタッチパネル設定ボタンを押下すると、ナビゲーション装置１の画面は、ナビゲーション画面等のタッチパネル設定を行う前の画面状態からタッチパネル設定用画面に遷移する（ステップＳ２０２）。
【００５０】
そして、ユーザは、タッチパネル設定用画面に表示された各種設定項目を示すアイコンの中から設定を変更したい項目を示すアイコンを選択する（ステップＳ１０２）。これにより、ナビゲーション装置１の画面はユーザが選択した設定項目に対応する画面、即ち、状態変更画面、範囲指定画面、タイマー設定画面または表示設定画面のうちの１の画面へ遷移する（ステップＳ２０３）。
【００５１】
次に、ユーザは、タッチパネルの各設定画面から具体的に設定内容を指定する（ステップＳ１０３）。これにより、ナビゲーション装置１の画面は、タッチパネル設定用画面へ遷移し、他の設定項目もユーザが指定できるようにする（ステップＳ２０４）。
【００５２】
次に、ユーザは、別の設定項目についてさらに設定を変更したい場合（ステップ１０４；Ｙｅｓ）は、タッチパネル設定用画面から、さらに設定を行いたい設定項目を選択する（ステップＳ１０２）。これに応答して、ナビゲーション装置１は、ユーザが他の設定項目を指定したか否かを判定する（ステップＳ２０５）。ユーザが他の設定項目を指定した場合（ステップＳ２０５；Ｙｅｓ）、処理はステップＳ２０３へ戻る。
【００５３】
一方、ユーザがタッチパネルの設定を完了し、設定内容を反映させる場合（ステップＳ１０４；Ｎｏ）、ユーザはタッチパネル設定用画面等に表示されたセットボタンを押下し（ステップＳ１０５）、設定内容を反映させ、タッチパネルの設定を終了する。これにより、ナビゲーション装置１の画面は、再びタッチパネルの設定をする前の画面、例えばナビゲーション画面等に遷移する（ステップＳ２０６）。
【００５４】
[変形例]
上記の実施例では、タッチパネル設定用画面から各設定項目をユーザが指定して、タッチパネルの各設定を変更していた。しかし、画面にメッセージを表示させ、いくつかのパターンの中から対話式にユーザに設定内容を選択させることで、より簡易にタッチパネルの設定を変更するための設定処理手順を提供することもできる。
【００５５】
図８及び図９は、簡易にタッチパネルの設定を行うための画面の一例を示す。図８（ａ）に示す画面は、例えば上記画面を表示する専用ボタンをナビゲーション装置のボタン７１として配置し、上記ボタンをユーザが押下することによって表示される。図８（ａ）では、アイコン１８０において、タッチパネルを無効にする範囲をアイコン１８１からユーザが選択するのを促す旨の文章を表示させている。アイコン１８１は、予めナビゲーション装置によって定められた選択肢を表示している。なお、アイコン１８１は、図３（ｂ）に示す範囲指定画面のアイコン１２１乃至１２５よりも少なくするのが好ましい。これにより、ユーザが選択する時間の短縮化が期待できる。
【００５６】
図８（ｂ）は、図８（ａ）に示す画面において指定したタッチパネルを無効にする範囲の継続時間、つまりタイマーをユーザが指定する画面である。アイコン１８２において、タッチパネルを無効にする時間をアイコン１８３からユーザが選択するのを促す旨の文章を表示させている。アイコン１８３は、ナビゲーション装置１により予め定められた選択肢を表示している。なお、アイコン１８３は、図５（ａ）に示すタイマー設定画面のアイコン１５１乃至１５５よりも少なくするのが好ましい。これにより、ユーザが選択する時間の短縮化が期待できる。
【００５７】
図９（ａ）は、図８（ａ）及び図８（ｂ）にてユーザが指定したタッチパネルの無効にする範囲及びそのタイマー設定についての確認画面を示す。アイコン１８４は、図８（ａ）及び図８（ｂ）にてユーザが指定したタッチパネルの無効範囲及びそのタイマー設定の内容を表示し、上記内容でタッチパネルを設定するか否かの確認として、アイコン１８５、１８６のいずれかをユーザが選択するのを促す旨の文章を表示させている。そして、アイコン１８５の決定をユーザが押下した場合には、図９（ｂ）に示す設定を変更した旨の通知画面を表示する。一方、アイコン１８６のキャンセルをユーザが押下した場合には、タッチパネルの設定の変更は行わず、タッチパネルの設定を行う前の画面に戻る。以上の変形例に係るタッチパネルの設定方法により、タッチパネルの設定時間の短縮化を図ることができ、タッチパネルの設定も容易にすることができる。
【００５８】
なお、図８及び図９のタッチパネルの設定画面によるタッチパネル設定方法は変形例に係る設定方法の一例であり、例えば、実施例に示したタッチパネルの無効範囲の背景色等の設定を設定可能な画面をさらに表示させてもよい。
【００５９】
以上説明したように、本実施例によるナビゲーション装置は、情報を表示する表示装置とタッチパネルと、を備える。そして、タッチパネルを用いたユーザによる操作入力に対して処理を行う。具体的には、ナビゲーション装置は、ユーザの指定に基づいてタッチパネルの設定範囲を決定し、決定した設定範囲を有効状態または無効状態に切り替える。設定範囲の指定は、予め定められた項目より指定するか、任意に指定するか、をユーザが選択することができる。これにより、ユーザは、タッチパネルを無効化する範囲を詳細に指定することができ、ユーザが意図した範囲でタッチパネルを無効化が可能となる。よって、ユーザの意図しない操作による装置の誤動作を防止することができる。
【図面の簡単な説明】
【００６０】
【図１】ナビゲーション装置の概略構成を示すブロック図。
【図２】タッチパネルの設定用画面を示す画像例。
【図３】タッチパネルの状態及び範囲を指定する画面を示す画像例。
【図４】ユーザによる無効範囲の指定を行う画面を示す画像例。
【図５】タイマー設定及び表示設定の指定を行う画面を示す画像例。
【図６】タッチパネルの状態を知らせるアイコン及びランプを備えるナビゲーション装置の表示例。
【図７】タッチパネルの設定処理のフローチャート。
【図８】変形例に係るナビゲーション装置の画面遷移における前半の表示例。
【図９】変形例に係るナビゲーション装置の画面遷移における後半の表示例。
【符号の説明】
【００６１】
１  ナビゲーション装置
１０  自立測位装置
１８  ＧＰＳ受信機
２０  システムコントローラ
２２  ＣＰＵ
３６  データ記憶ユニット
３８  通信装置
４０  表示ユニット
４４  ディスプレイ
【図１】
2009080683.tif 000003
【図２】
2009080683.tif 000004
【図３】
2009080683.tif 000005
【図４】
2009080683.tif 000006
【図５】
2009080683.tif 000007
【図６】
2009080683.tif 000008
【図７】
2009080683.tif 000009
【図８】
2009080683.tif 000010
【図９】
2009080683.tif 000011